(57)【要約】【課題】  簡単な構成で、ロールペーパーの表面を覆って汚染物質の付着を抑えることができる、使い勝手の良いロールペーパーディスペンサーを得る。【解決手段】  ロールペーパー１００を収容する有底筒状体１の筒壁部２にロールペーパー１００を外部へ引き出し可能な引出口３を形成し、底部４にはロールペーパー１００の下端１００ａ側に開口する巻芯１００ｂに挿入される保持部５を設けた紙製のロールペーパーディスペンサーであって、有底筒状体１は、筒壁部２を形成する複数の筒壁部形成パネル２２と、筒壁部形成パネル２２に連接した底部４を形成する底部形成パネル２４と、底部形成パネル２４に連接した保持部５を形成する保持部形成パネル２７とを有するブランクシート２０で組み立てた。【選択図】  図１
2019150219.tif 000002
【特許請求の範囲】
【請求項１】
ロールペーパーが縦方向に収容される多角形の有底筒状体の筒壁部に、前記有底筒状体内に収容された前記ロールペーパーを外部へ引き出し可能な引出口が形成され、前記底部には、前記底部中央位置から上方に突出し前記有底筒状体内に収容された前記ロールペーパーの下端側に開口する巻芯に挿入される保持部が設けられた紙製のロールペーパーディスペンサーであって、
前記有底筒状体は、筒壁部縦折線を介して横方向に連接し、前記筒壁部縦折線から谷折りすることにより前記筒壁部を形成する複数の筒壁部形成パネルと、前記複数の筒壁部形成パネルの内の２枚以上の前記筒壁部形成パネルの下辺に底部横折線を介して連接し、前記底部横折線から谷折りすることにより中央で先端が相互に突き合わせ状態となって前記底部を形成する底部形成パネルと、前記底部形成パネルの突き合わせ辺に保持部横折線を介して連接し、前記保持部横折線を谷折りすることにより相互に重なり合って前記保持部を形成する保持部形成パネルとを有するブランクシートで組み立てられたことを特徴とするロールペーパーディスペンサー。
【請求項２】
前記有底筒状体の前記筒壁部に形成された前記引出口は、縦長状に形成され、前記引出口の下辺の位置と前記有底筒状体内に収容された前記ロールペーパーの下端側を受ける受け面とが一致していることを特徴とする請求項１に記載のロールペーパーディスペンサー。
【請求項３】
前記有底筒状体の前記筒壁部に形成された前記引出口は、片方又は双方の縦辺に波線状の歯部が形成されていることを特徴とする請求項１または２のいずれか１に記載のロールペーパーディスペンサー。
【請求項４】
前記ブランクシートは、曲げ強度３０ＭＰａ以上、曲げ荷重２０Ｎ以上の強度を有する紙基材から形成されていることを特徴とする請求項１から３までのいずれか１に記載のロールペーパーディスペンサー。
【請求項５】
前記保持部には、相互に重なり合った前記保持部形成パネルを固定する固定部材が備えられていることを特徴とする請求項１から４までのいずれか１に記載のロールペーパーディスペンサー。
【請求項６】
前記固定部材は、その略中央部に重なり合う前記保持部形成パネルを挿入する挿入孔が形成された板状紙片からなることを特徴とする請求項５に記載のロールペーパーディスペンサー。
【請求項７】
前記固定部材の上面は、前記有底筒状体内に収容された前記ロールペーパーの下端側を受ける受け面となっていることを特徴とする請求項６に記載のロールペーパーディスペンサー。
【発明の詳細な説明】
【技術分野】
【０００１】
本発明は、紙製のロールタオル、ロールティシュ、ロール式キッチンペーパー等（以下、総称して「ロールペーパー」という。）を収容でき、且つ収容したロールペーパーを容易に取り出すことができるロールペーパーディスペンサーに関する。
【背景技術】
【０００２】
ロールペーパーのディスペンサーとして、バー等でロールペーパーの巻芯を支えるタイプのものや、ロールペーパーの全体を収容して壁等に固定するボックスタイプのものがある。
バー等でロールペーパーの巻芯を支えるタイプのものとして、ロールペーパーの一端側の巻芯に挿入される下側ロールペーパ保持部と、ロールペーパーの他端側の巻芯に挿入される上側ロールペーパ保持部とを備えたロールペーパーディスペンサーが知られている（例えば、特許文献１参照。）。
【０００３】
また、ボックスタイプのものとして、ハウジングと、ロールペーパーの一端側の巻芯に挿入される左側ロールペーパ保持部と、ロールペーパーの他端側の巻芯に挿入される右側ロールペーパ保持部とを備え、ハウジング内にロールペーパーを収容して左側ロールペーパ保持部と右側ロールペーパ保持部とで保持し、ハウジングに設けた取り出し口からロールペーパーの端部を引き出すようにしたロールペーパーディスペンサーが知られている（例えば、特許文献２参照。）。
【先行技術文献】
【特許文献】
【０００４】
【特許文献１】特許第５７９１１７５号公報
【特許文献２】特表平１０−５０００６８号公報
【発明の概要】
【発明が解決しようとする課題】
【０００５】
ロールペーパーは汚れを拭き取るために用いるものであることから、衛生が保たれていることが好ましい。しかしながら、特許文献１に記載のロールペーパーディスペンサーは、ロールペーパーの表面が外部に露出した状態で使用されるため、キッチン等で使用する際、水、油又は食材から飛散する汚れ等の汚染物質が付着し易く、衛生面に対する配慮が無いといった問題がある。また、特許文献２に記載のロール状ウエブディスペンサーは、ロールペーパーをハウジング内に収容しているので、ロールペーパーの衛生は保たれるが、構成が大がかりなものとなっている。そのため、大型化を余儀なくされ、設置場所も限られ、使い勝手が悪く、また高価であるといった問題がある。
【０００６】
本発明の目的は、簡単な構成で、ロールペーパーの表面を覆って汚染物質の付着を抑えることができる、使い勝手の良いロールペーパーディスペンサーを提供することにある。
【課題を解決するための手段】
【０００７】
上記の目的を達成するために、請求項１に記載の発明は、ロールペーパーが縦方向に収容される多角形の有底筒状体の筒壁部に、前記有底筒状体内に収容された前記ロールペーパーを外部へ引き出し可能な引出口が形成され、前記底部には、前記底部中央位置から上方に突出し前記有底筒状体内に収容された前記ロールペーパーの下端側に開口する巻芯に挿入される保持部が設けられた紙製のロールペーパーディスペンサーであって、前記有底筒状体は、筒壁部縦折線を介して横方向に連接し、前記筒壁部縦折線から谷折りすることにより前記筒壁部を形成する複数の筒壁部形成パネルと、前記複数の筒壁部形成パネルの内の２枚以上の前記筒壁部形成パネルの下辺に底部横折線を介して連接し、前記底部横折線から谷折りすることにより中央で先端が相互に突き合わせ状態となって前記底部を形成する底部形成パネルと、前記底部形成パネルの突き合わせ辺に保持部横折線を介して連接し、前記保持部横折線を谷折りすることにより相互に重なり合って前記保持部を形成する保持部形成パネルとを有するブランクシートで組み立てられたことを特徴とする。
【０００８】
請求項１に記載の発明によれば、有底筒状体に収容されたロールペーパーは、筒壁部により表面が覆われるので、汚染物質が飛散した場合でも、ロールペーパーへ汚染物質が付着することを抑えることができる。
また、前記引出口からのペーパーの引き出しに際しては、有底筒状体に収容されたロールペーパーの下端側に開口する巻芯に前記底部に設けられた前記保持部が挿入されているので、ペーパーを引き出したとき、ロールペーパー表面と筒面との摩擦が低減することで前記保持部を軸心とする回転が得られ、容易に引き出すことができる。
また、前記有底筒状体は、筒壁部縦折線を介して横方向に連接し、前記筒壁部縦折線から谷折りすることにより前記筒壁部を形成する複数の筒壁部形成パネルと、前記複数の筒壁部形成パネルの内の２枚以上の前記筒壁部形成パネルの下辺に底部横折線を介して連接し、前記底部横折線から谷折りすることにより中央で先端が相互に突き合わせ状態となって前記底部を形成する底部形成パネルと、前記底部形成パネルの突き合わせ辺に保持部横折線を介して連接し、前記保持部横折線を谷折りすることにより相互に重なり合って前記保持部を形成する保持部形成パネルとを有するブランクシートで組み立てられたものであることから、製造が容易であり、且つブランクシートの状態又は筒壁部の端部を接続して扁平に折り畳んだ筒体の状態でユーザーに提供し、ユーザー自身が組み立てるといったこともできる。
また、ブランクシートの状態又は筒壁部の端部を接続して扁平に折り畳んだ筒体の状態にしておくことにより嵩張らず、組み立て前の保管や搬送に便利である。
更には、ブランクシートは紙製であるため、使用後の廃棄が容易で、また紙資源として再利用することもできる。
【０００９】
請求項２に記載の発明は、請求項１に記載の、前記有底筒状体の前記筒壁部に形成された前記引出口は、縦長状に形成され、前記引出口の下辺の位置と前記有底筒状体内に収容された前記ロールペーパーの下端側を受ける受け面とが一致していることを特徴とする。
【００１０】
請求項２に記載の発明によれば、前記有底筒状体の前記筒壁部に形成された前記引出口は、縦長状に形成され、前記引出口の下辺の位置と前記有底筒状体内に収容された前記ロールペーパーの下端側を受ける受け面とが一致しているので、引出口からペーパーを引き出す時に、ペーパーが前記引出口の下端に引っかかり、ペーパーが引き出し難くなったり、また破れてしまうといった事態を防ぐことができ、ペーパー下端まで容易に切り取ることができる。
【００１１】
請求項３に記載の発明は、請求項１または２のいずれか１に記載の、前記有底筒状体の前記筒壁部に形成された前記引出口は、片方又は双方の縦辺に波線状の歯部が形成されていることを特徴とする。
【００１２】
請求項３に記載の発明によれば、前記有底筒状体の前記筒壁部に形成された前記引出口は、片方又は双方の縦辺に波線状の歯部が形成されているので、引出口から引き出したペーパーを歯部に引っかけることにより容易にペーパーを切り取ることができる。また、ペーパーに切り取り用のミシン目が形成されている場合には、一層容易にペーパーを切り取ることができる。
【００１３】
請求項４に記載の発明は、請求項１から３までのいずれか１に記載の、前記ブランクシートは、曲げ強度３０ＭＰａ以上、曲げ荷重２０Ｎ以上の強度を有する紙基材から形成されていることを特徴とする。
【００１４】
請求項４に記載の発明によれば、前記ブランクシートは、曲げ強度３０ＭＰａ以上、曲げ荷重２０Ｎ以上の強度を有する紙基材から形成されているので、組み立てた前記有底筒状体にロールペーパーを保持する強度と、前記筒壁部に形成された前記引出口にペーパーをカットする強度を得ることができ、有底筒状体にロールペーパーを確実に保持し、且つ、前記引出口から引き出したペーパーを確実にカットすることができる。
【００１５】
請求項５に記載の発明は、請求項１から４までのいずれか１に記載の、前記保持部には、相互に重なり合った前記保持部形成パネルを固定する固定部材が備えられていることを特徴とする。
【００１６】
請求項５に記載の発明によれば、前記保持部には、相互に重なり合った前記保持部形成パネルを固定する固定部材が備えられているので、前記固定部材で前記保持部形成パネルを固定することにより、前記引出口からのペーパーの引き出しに際し、ロールペーパーの回転による前記保持部の変形を抑えることができ、ロールペーパーにスムーズな回転が得られ、ペーパーを容易に引き出すことができる。
【００１７】
請求項６に記載の発明は、請求項５に記載の、前記固定部材は、その略中央部に、重なり合う前記保持部形成パネルを挿入する挿入孔が形成された板状紙片からなることを特徴とする。
【００１８】
請求項６に記載の発明によれば、前記固定部材は、その略中央部に、重なり合う前記保持部形成パネルを挿入する挿入孔が形成された板状紙片からなるので、前記板状紙片に形成された前記挿入孔に前記前記保持部形成パネルを挿入するといった簡単な作業で前記保持部形成パネルを容易に固定することができる。
【００１９】
請求項７に記載の発明は、請求項６に記載の、前記固定部材の上面は、前記有底筒状体内に収容された前記ロールペーパーの下端側を受ける受け面となっていることを特徴とする。
【００２０】
請求項７に記載の発明によれば、前記固定部材の上面は、前記有底筒状体内に収容された前記ロールペーパーの下端側を受ける前記受け面となっているので、前記受け面は平な１面で構成されることになり、ロールペーパーを安定した状態で且つ抵抗の少ない状態で受けることになるので、ロールペーパーにスムーズな回転が得られ、ペーパーを容易に引き出すことができる。
【発明の効果】
【００２１】
本発明に係るロールペーパーディスペンサーによれば、ロールペーパーの表面を覆うことにより汚染物質の付着を抑えることができ、また、簡単に組み立てられ且つ折り畳みが可能であり使い勝手が良く、また、廃棄も容易であり、更には、安価に得ることができる。
【図面の簡単な説明】
【００２２】
【図１】本発明に係るロールペーパーディスペンサーの実施の形態の第１例を示す斜視図である。
【図２】第１例のロールペーパーディスペンサーを組み立てるブランクシートを示す平面図である。
【図３】第１例における底部形成パネルで形成された底部と、保持部形成パネルで形成された保持部を示す斜視図である。
【図４】第１例における相互に重なり合って保持部を形成する保持部形成パネルを固定する固定部材の一例を示す斜視図である。
【図５】第１例のロールペーパーディスペンサーの一部拡大断面図である。
【図６】第１例のロールペーパーディスペンサーの使用状態を示す説明図である。
【図７】本発明に係るロールペーパーディスペンサーの実施の形態の第２例を示す斜視図である。
【図８】第２例のロールペーパーディスペンサーを組み立てるブランクシートを示す平面図である。
【図９】本発明に係るロールペーパーディスペンサーの実施の形態の第３例を組み立てるブランクシートを示す平面図である。
【図１０】第３例における相互に重なり合って保持部を形成する保持部形成パネルを固定する固定部材を形成する板状紙片を示す平面図である。
【図１１】図１０に示す板状紙片で形成された固定部材の正面図である。
【図１２】第３例のロールペーパーディスペンサーの一部拡大断面図である。
【図１３】本発明に係るロールペーパーディスペンサーの実施の形態の第４例を組み立てるブランクシートを示す平面図である。
【図１４】第４例における底部形成パネルで形成された底部と、保持部形成パネルで形成された保持部を示す平面図である。
【図１５】第４例における相互に重なり合って保持部を形成する保持部形成パネルを固定する固定部材を形成する板状紙片を示す平面図である。
【図１６】第４例のロールペーパーディスペンサーの一部拡大断面図である。
【図１７】本発明に係るロールペーパーディスペンサーの実施の形態の第５例を組み立てるブランクシートを示す平面図である。
【図１８】第５例における底部形成パネルで形成された底部と、保持部形成パネルで形成された保持部を示す説明図である。
【図１９】第５例のロールペーパーディスペンサーの一部拡大断面図である。
【図２０】ロールペーパーディスペンサーの引出口の他例を示す平面図である。
【発明を実施するための形態】
【００２３】
以下、本発明に係るロールペーパーディスペンサーの実施の形態の一例を、図面を参照して詳細に説明する。
図１乃至図６は、本発明に係るロールペーパーディスペンサーの第１例を示すもので、図１は第１例のロールペーパーディスペンサーを示す斜視図、図２は第１例のロールペーパーディスペンサーを組み立てるブランクシートを示す平面図、図３は第１例における底部形成パネルで形成された底部と、保持部形成パネルで形成された保持部を示す斜視図、図４は第１例における相互に重なり合って保持部を形成する保持部形成パネルを固定する固定部材の一例を示す斜視図、図５は第１例のロールペーパーディスペンサーの一部拡大断面図、図６は第１例のロールペーパーディスペンサーの使用状態を示す説明図である。
【００２４】
本例のロールペーパーディスペンサーは、ロールペーパー１００が縦方向に収容される８角形の有底筒状体１の筒壁部２に、有底筒状体１内に収容されたロールペーパー１００を外部へ引き出し可能な引出口３が形成され、底部４には、底部４の中央位置から上方に突出し有底筒状体１内に収容されたロールペーパー１００の下端１００ａ側に開口する巻芯１００ｂに挿入される保持部５が設けられている。
【００２５】
有底筒状体１の筒壁部２に形成された引出口３は、縦長状に形成され、引出口３の下辺３ａの位置と有底筒状体１内に収容されたロールペーパー１００の下端１００ａ側を受ける受け面６と一致しているか、或いは、受け面６よりも下方に位置している。本例では、引出口３の下辺３ａの位置は受け面６と一致するように形成されている。また、本例では、引出口３は筒壁部２の上辺側が開放された切り欠き溝状となっている。
また、引出口３は、片方又は双方の縦辺３ｂに波線状の歯部７が形成されている。本例では、引出口３の双方の縦辺３ｂに歯部７が形成されている。
【００２６】
このような構成となっている有底筒状体１は、紙を基材とする一枚のブランクシート２０によって組み立てられている。
ブランクシート２０は、図２に示すように、筒壁部縦折線２１，２１，２１，２１，２１，２１，２１を介して横方向に連接し、筒壁部縦折線２１，２１，２１，２１，２１，２１，２１から谷折りすることにより筒壁部２を形成する８枚の筒壁部形成パネル２２，２２，２２，２２，２２，２２，２２、２２と、８枚の筒壁部形成パネル２２，２２，２２，２２，２２，２２，２２、２２の内の２枚の筒壁部形成パネル２２，２２の下辺に底部横折線２３，２３を介して連接し、底部横折線２３，２３から谷折りすることにより中央で先端が相互に突き合わせ状態となって底部４を形成する底部形成パネル２４，２４と、底部形成パネル２４，２４の突き合わせ辺２５，２５に保持部横折線２６，２６を介して連接し、保持部横折線２６，２６を谷折りすることにより対向する面が相互に重なり合って保持部５を形成する保持部形成パネル２７，２７とを有している。
【００２７】
保持部形成パネル２７，２７にあっては、本例では底部形成パネル２４，２４のそれぞれの先端の突き合わせ辺２５，２５と接し、突き合わせ辺２５，２５と略同じ長さを有する広幅面部２７ａ，２７ａと、ロールペーパー１００の巻芯１００ｂに挿入可能な幅を有し広幅面部２７ａ，２７ａの先端中央から突出する狭幅挿入面部２７ｂ，２７ｂとからなっている。広幅面部２７ａ，２７ａの先端方向長さは、後述するように、有底筒状体１内に収容されたロールペーパー１００の下端１００ａ側を受ける受け面６を有底筒状体１の底部４から上方に間隔を開ける場合の間隔の長さとなる。
【００２８】
また、８枚の筒壁部形成パネル２２，２２，２２，２２，２２，２２，２２、２２の内の１枚の筒壁部形成パネル２２に、引出口３となる切り欠き部２８が形成されている。
また、ブランクシート２０は、端側にある片方の筒壁形成パネル２２の側辺に連接し、他方の筒壁部形成パネル２２の側辺に接着される糊代パネル２９を有し、更には、いずれか１の筒壁部形成パネル２２の上辺に蓋部横折線３０を介して連接し、蓋部横折線３０から谷折りすることにより筒壁部２の上部開口部を閉じる蓋部形成パネル３１を有している。
【００２９】
ブランクシート２０を形成する紙基材にあっては、曲げ強度３０ＭＰａ以上、曲げ荷重２０Ｎ以上の強度を有する紙基材であることが好ましい。紙基材としては、例えば、シクラパック（登録商標  日本製紙株式会社製）が使用される。
【００３０】
また、本例では、保持部５には、相互に重なり合った保持部形成パネル２７，２７を固定する固定部材３２が備えられている。
本例では、図３に示すように、固定部材３２は、その略中央部に、重なり合う保持部形成パネル２７，２７を挿入する挿入孔３３が形成された１枚の板状紙片３４からなる。板状紙片３４の形状は、有底筒状体１の内形と略同形の形状に形成されている（図４参照）。
そして、板状紙片３４に形成された挿入孔３３に重なり合う保持部形成パネル２７，２７を挿入することにより保持部形成パネル２７，２７を重なり合った状態で固定するようになっている。保持部形成パネル２７，２７を固定した固定部材３２の上面は、有底筒状体１内に収容されたロールペーパー１００の下端１００ａ側を受ける受け面６となっている。板状紙片３４はブランクシート２０を形成する紙基材と同じ紙基材で形成されている。
【００３１】
また、本例では、保持部形成パネル２７，２７は、広幅面部２７ａ，２７ａと狭幅挿入面部２７ｂ，２７ｂとからなっており、固定部材３２の挿入孔３３は狭幅挿入面部２７ｂ，２７ｂを挿入可能となっている。これにより、保持部形成パネル２７，２７の狭幅挿入面部２７ｂ，２７ｂを挿入した固定部材３２の下面は、広幅面部２７ａ，２７ａの上辺に当接することになり、固定部材３２の上面で構成される受け面３５は、有底筒状体１の底部４から上方に広幅面部２７ａ，２７ａの先端方向長さに応じた間隔を開けた位置に形成される。
【００３２】
このように構成される第１例のロールペーパーディスペンサーは、次のようにして組み立てられる。
【００３３】
先ず、ブランクシート２０に有する筒壁部形成パネル２２，２２の下辺に底部横折線２３，２３を介して連接している底部形成パネル２４，２４を、底部横折線２３，２３から谷折りし、底部形成パネル２４，２４の突き合わせ辺２５，２５に保持部横折線２６，２６を介して連接している保持部形成パネル２７，２７を谷折りする。
【００３４】
次に、この状態から、筒壁部形成パネル２２，２２，２２，２２，２２，２２，２２、２２を筒壁部縦折線２１，２１，２１，２１，２１，２１，２１から谷折りして筒状にし、この過程で底部形成パネル２４，２４の突き合わせ辺２５，２５に連接し保持部横折線２６，２６から谷折りされている保持部形成パネル２７，２７を相互に重なり合うようにして、谷折りした端側にある片方の筒壁形成パネル２２の側辺に連接している糊代パネル２９を他方の筒壁形成パネル２２の側辺に接着して筒状部２を形成し、同時に底部形成パネル２４，２４で底部４を形成し、保持部形成パネル２７，２７で底部４の中央位置から上方に突き出した保持部５を形成する（図３参照）。このようにして有底筒状体１を形成する。
【００３５】
次に、有底筒状体１内に上部開口部から固定部材３２を挿入し、固定部材３２に形成されている挿入孔３３に保持部５となる重なり合う保持部形成パネル２７，２７を挿入して保持部形成パネル２７，２７を固定する（図５参照）。
【００３６】
このようにして組み立てられた第１例のロールペーパーディスペンサーによれば、有底筒状体１に収容されたロールペーパー１００は、筒壁部２により表面が覆われるので、外部の汚染物質がロールペーパー１００に付着することを抑えることができる。
【００３７】
また、本例では、筒壁形成パネル２２の上辺に蓋部横折線３０を介して連接し、蓋部横折線３０から谷折りすることにより筒壁部２の上部開口部を閉じる蓋パネル３１を有しているので、蓋パネル３１を有底筒状体１の蓋体３５として使用することにより、有底筒状体１内に収容されているロールペーパー１００に対する外部の汚染物質の付着を一層効果的に抑えることができる。
【００３８】
また、引出口３からのペーパーの引き出しに際しては、有底筒状体１に収容されたロールペーパー１００の下端１００ａ側に開口する巻芯１００ｂに底部４に設けられた保持部５が挿入されているので、ペーパーを引き出したとき、ロールペーパー１００に保持部５を軸心とする回転が得られ、ペーパーを容易に引き出すことができる。
【００３９】
また、本例では、有底筒状体１の筒壁部２に形成された引出口３は、縦長状に形成され、引出口３の下辺３ａの位置と有底筒状体１内に収容されたロールペーパー１００の下端１００ａ側を受ける受け面６とが一致しているので、引出口３からペーパーを引き出す時に、ペーパーが引出口３の下端３ａに引っかかり、ペーパーが引き出し難くなったり、また破れてしまうといった事態を防ぐことができる。
【００４０】
また、本例では、引出口３は筒壁部２の上辺側が開放された切り欠き溝状となっているので、引出口３からペーパーを引き出す初期段階で、ペーパー端部を引出口３に容易に通すことができる。
【００４１】
また、本例では、有底筒状体１の筒壁部２に形成された引出口３は、片方又は双方の縦辺３ｂに波線状の歯部７が形成されているので、引出口３から引き出したペーパーを歯部７に引っかけることにより容易にペーパーを切り取ることができる。ペーパーに切り取り用のミシン目が形成されている場合には、一層容易にペーパーを切り取ることができる。
【００４２】
また、本例では、ブランクシート２０は、曲げ強度３０ＭＰａ以上、曲げ荷重２０Ｎ以上の強度を有する紙基材から形成されているので、組み立てた有底筒状体１にロールペーパー１００を保持する強度と、筒壁部２に形成された引出口３にペーパーをカットする強度を得ることができる。
【００４３】
なお、本例では有底筒状体１は８角形となっているが、角数にあっては特に限定されない。
また、本例では、底部４の中央位置から上方に突き出した保持部５を形成する保持部形成パネル２７，２７を固定部材３２で固定しているが、必ずしも固定しなければならないものではない。しかし、ロールペーパー１００の安定した回転を得るためには固定したほうが好ましい。
保持部形成パネル２７，２７を固定する手段としては、本例のような固定部材３２に限定されるものではなく、例えば、有底筒体１を組み立てた後、重なり合う保持部形成パネル２７，２７を身近にある接着剤で接着し、或いは粘着テープを巻き付けて固定するようにしてもよい。
【００４４】
図７、図８は、本発明に係るロールペーパーディスペンサーの実施の形態の第２例を示すものであり、図７は第２例のロールペーパーディスペンサーを示す斜視図、図８は第２例のロールペーパーディスペンサーを組み立てるブランクシートを示す平面図である。
【００４５】
第２例のロールペーパーディスペンサーは、第１例のロールペーパーディスペンサーと基本構成において変わるところはなく、第１例と同一の構成については同一の符号を付して説明する。
第２例と第１例との違いは、第１例における筒壁部形成パネル２２の上辺に蓋部横折線３０を介して連接した蓋部形成パネル３１の有無のみである。 第２例では、筒壁部形成パネル２２の上辺には、第１例における蓋部形成パネル３１と同様の構成は無い。
その他の構成は、第１例と同様であり、第２例のロールペーパーディスペンサーは、第１例と同様にして組み立てられる。
【００４６】
このようにして組み立てられた第２例のロールペーパーディスペンサーによれば、第１例との比較において、蓋部形成パネル３１が無いので、その分取扱や組み立てが容易となり、更には紙基材の使用量が低減する。
その他の作用効果は第１例と同様であり、第１例の作用効果を援用する。
【００４７】
図９乃至図１２は、本発明に係るロールペーパーディスペンサーの実施の形態の第３例を示すものであり、図９は第３例のロールペーパーディスペンサーを組み立てるブランクシートを示す平面図、図１０は第３例における相互に重なり合って保持部を形成する保持部形成パネルを固定する固定部材を形成する板状紙片を示す平面図、図１１は図１０に示すシート材で形成された固定部材の正面図、図１２は第３例のロールペーパーディスペンサーの一部拡大断面図である。
【００４８】
第３例のロールペーパーディスペンサーは、第１例のロールペーパーディスペンサーと基本構成において変わるところはなく、第１例と同一の構成については同一の符号を付して説明する。
第３例と第１例との違いは、保持部５の形状と、保持部５を形成する保持部形成パネル２７，２７を固定する固定部材３２の形状にある。
【００４９】
本例では、底部形成パネル２７，２７の突き合わせ辺２５，２５に保持部横折線２６，２６を介して連接し、保持部横折線２６，２６から谷折りすることにより相互に突き合わせ状態となって保持部５を形成する保持部形成パネル２７，２７は、ロールペーパー１００の巻芯１００ａに挿入可能な幅を有する狭幅挿入面部２７ｂ，２７ｂだけで構成されている。
【００５０】
そして、保持部５に備えられ、相互に重なり合った保持部形成パネル２７，２７を固定する固定部材３２は、その略中央部に、保持部形成パネル２７，２７を挿入する挿入孔３３が形成され、上面をロールペーパー１００の下端１００ａ側を受ける受け面６とする１枚の固定パネル３６と、固定パネル３６の外周辺に折線３７を介して連接し、折線３７から山折りされて脚３８となる脚パネル３９を有する板状紙片４０で形成されている（図１０，図１１参照。）。板状紙片４０はブランクシート２０を形成する紙基材と同じ紙基材で形成されている。
【００５１】
その他の構成は、第１例と同様であり、第３例のロールペーパーディスペンサーは、第１例と同様にして組み立てられる。そして、固定部材３２にあっては、固定パネル３６の外周辺に折線３７を介して連接している脚パネル３９を折線３７から山折りして脚３８を形成し、脚３８側から有底筒状体１内に挿入し、固定部材３２に形成されている挿入孔３３に保持部５となる保持部形成パネル２７，２７を、脚３８が底部４に当接するまで挿入して保持部形成パネル２７，２７を固定している（図１２参照。）。
【００５２】
このようにして組み立てられた第２例のロールペーパーディスペンサーによれば、固定部材３２は、有底筒状体１内に脚３８が底部４に当接するまで挿入するので、有底筒状体１内に収容されたロールペーパー１００の重量による受け面６の変形が抑えられ、ロールペーパー１００をしっかりと支えることができるので、ペーパーを円滑に引き出すことができる。
【００５３】
その他の作用効果は第１例と同様であり、第１例の作用効果を援用する。
なお、本例では有底筒状体は８角形となっているが、第１例と同様、角数にあっては特に限定されない。また、本例では、底部４の中央位置から上方に突き出した保持部５を形成する保持部形成パネル２７，２７を固定部材３２で固定しているが、必ずしも固定しなければならないものではない。しかし、ロールペーパー１００の安定した回転を得るためには固定したほうが好ましい。
【００５４】
図１３乃至図１６は、本発明に係るロールペーパーディスペンサーの実施の形態の第４例を示すものであり、図１３は第４例のロールペーパーディスペンサーを組み立てるブランクシートを示す平面図、図１４は第４例における底部形成パネルで形成された底部と、保持部形成パネルで形成された保持部を示す平面図、図１５は第４例における相互に重なり合って保持部を形成する保持部形成パネルを固定する固定部材を形成する板状紙片示す平面図、図１６は第４例のロールペーパーディスペンサーの一部拡大断面図である。
【００５５】
第４例のロールペーパーディスペンサーは、第１例のロールペーパーディスペンサーと基本構成において変わるところはなく、第１例と同一の構成については同一の符号を付して説明する。
第４例と第１例との違いは、有底筒状体１の角数、底部４の形状、保持部５の形状、保持部５を形成する保持部形成パネル２７を固定する固定部材３２の形状にある。
【００５６】
本例では、有底筒状体は６角形であり、筒壁部２を形成する６枚の筒壁部形成パネル２２，２２，２２，２２，２２，２２の全ての下辺に、底部４を形成する底部形成パネル２４，２４，２４，２４，２４，２４が底部横折線２３，２３，２３，２３，２３，２３を介して連接している。この底部形成パネル２４，２４，２４，２４，２４，２４の形状は、筒壁部形成パネル２２，２２，２２，２２，２２，２２を筒壁部縦折線２１，２１，２１，２１，２１から谷折りして筒状にし、底部形成パネル２４，２４，２４，２４，２４，２４を底部横折線２３，２３，２３，２３，２３，２３から谷折りしたとき、底部形成パネル２４，２４，２４，２４，２４，２４の側辺同士が当接して底部４を構成する形状となっている（図１４参照）。
【００５７】
そして、底部形成パネル２４，２４，２４，２４，２４，２４の先端には、保持部横折線２６，２６，２６，２６，２６，２６を介して保持部形成パネル２７，２７，２７，２７，２７，２７が連接している。
【００５８】
保持部５にあっては、底部形成パネル２４，２４，２４，２４，２４，２４の先端に連接している保持部形成パネル２７，２７，２７，２７，２７，２７を保持部横折線２６，２６，２６，２６，２６，２６から谷折りし、保持部形成パネル２７，２７，２７，２７，２７，２７の側辺同士を相互に重なり合わせることにより筒状柱４１を形成し、筒状柱４１とした保持部形成パネル２７，２７，２７，２７，２７，２７で保持部５を形成している（図１４、図１６参照。）。
【００５９】
そして、保持部５に備えられ、筒状柱４１を形成している保持部形成パネル２７，２７，２７，２７，２７，２７を固定する固定部材３２は、第３例と同様に、その略中央部に、筒状柱４１を形成している保持部形成パネル２７，２７，２７，２７，２７，２７を挿入する挿入孔３３が形成され、上面を有底筒状体１内に収容されたロールペーパー１００の下端１００ａ側を受ける受け面６とする１枚の固定パネル３７と、固定パネル３６の外周辺に折線３７を介して連接し、折線３７から山折りされて脚３８となる脚パネル３９を有する板状紙片４０で形成されている。挿入孔３３は、保持部形成パネル２７，２７，２７，２７，２７，２７で形成される筒状柱４１と同形に形成されている。
【００６０】
本例では、保持部５を形成する保持部形成パネル２７，２７，２７，２７，２７，２７は側辺同士を相互に重なり合わせることにより筒状柱４１を形成し、筒状柱４１としているので、重なり合わせた保持部形成パネル２７，２７，２７，２７，２７，２７の側辺同士のズレを防止し、筒状柱４１を効果的に維持させるためのズレ防止手段を備えることが望ましい。ズレ防止手段にあっては、重なり合わせた保持部形成パネル２７，２７，２７，２７，２７，２７の側辺同士のズレが防止できるものであれば、特に限定されない。
【００６１】
その他の構成は、第１例と同様であり、第４例のロールペーパーディスペンサーは、第１例と同様にして組み立てられる。そして、固定部材３２にあっては、第３例と同様に、脚３８側から有底筒状体１内に挿入し、固定部材３２に形成されている挿入孔３３に保持部５となる筒状柱４１を形成している保持部形成パネル２７，２７，２７，２７，２７，２７を、脚３８が底部４に当接するまで挿入して保持部形成パネル２７，２７，２７，２７，２７，２７を固定している。
【００６２】
このようにして組み立てられた第４例のロールペーパーディスペンサーによれば、保持部５は筒状柱４２となる保持部形成パネル２７，２７，２７，２７，２７，２７で形成されているので、引出口３からのペーパーの引き出しに際して、ペーパーを引き出したとき、ロールペーパー１００に保持部５を軸心とする円滑な回転が得られ、ペーパーを容易に引き出すことができる。
その他の作用効果は第１例と同様であり、第１例の作用効果を援用する。
【００６３】
なお、本例では有底筒状体は６角形となっているが、第１例と同様、角数にあっては特に限定されない。
【００６４】
図１７乃至図１９は、本発明に係るロールペーパーディスペンサーの実施の形態の第５例を示すものであり、図１７は第５例のロールペーパーディスペンサーを組み立てるブランクシートを示す平面図、図１８は第５例における底部形成パネルで形成された底部と、保持部形成パネルで形成された保持部を示す説明図、図１９は第５例のロールペーパーディスペンサーの一部拡大断面図である。
【００６５】
第５例のロールペーパーディスペンサーは、第１例のロールペーパーディスペンサーと基本構成において変わるところはなく、第１例と同一の構成については同一の符号を付して説明する。
第５例と第１例との違いは、有底筒状体１の底部４の形状、保持部５の形状にある。
【００６６】
本例では、２枚の筒壁部形成パネル２２，２２の下辺に立ち上げ部横折線４３，４３を介して立ち上げ部形成パネル４２，４２が連接し、立ち上げ部形成パネル４２，４２の下辺に底部横折線４４，４４を介して底部形成パネル２４，２４が連接している。底部形成パネル２４，２４には、第２例と同様の保持部５を形成する保持部形成パネル２７，２７が連接している。
【００６７】
そして、底部４の形成にあっては、先ず、筒壁部形成パネル２２，２２の下辺に連接している立ち上げ部形成パネル４２，４２を立ち上げ部横折線４３，４３から谷折りして、立ち上げ部形成パネル４２，４２を筒壁部形成パネル２２，２２に重ねる。
次に、立ち上げ部形成パネル４２，４２に連接している底部形成パネル２４，２４を底部横折線４４，４４から山折りし、底部形成パネル２４，２４の突き合わせ辺２５，２５に保持部横折線２６，２６を介して連接している保持部形成パネル２７，２７を谷折りし、保持部形成パネル２７，２７を相互に重なり合わせることにより保持部５を形成している（図１８、図１９参照。）。
【００６８】
立ち上げ部形成パネル４２，４２は、その長さが、立ち上げ部形成パネル４２，４２を立ち上げ部横折線４３，４３から谷折りして筒壁部形成パネル２２，２２に重ねたとき、その先端辺が筒壁部２に形成された引出口３の下辺３ａの位置と一致する長さとなっている。底部形成パネル４２，４２により形成された底部４にあっては、その上面がロールペーパー１００の下端１００ａ側を受ける受け面６となる。
【００６９】
なお、保持部５を形成する相互に重なり合わせられた保持部形成パネル２７，２７は、固定することが好ましい。保持部形成パネル２７，２７を固定する手段としては、例えば、有底筒体１を組み立てた後、重なり合う保持部形成パネル２７，２７を身近にある接着剤で接着し、或いは粘着テープを巻き付けて固定することができる。
【００７０】
その他の構成は、第１例と同様であり、第５例のロールペーパーディスペンサーは、第１例と同様にして組み立てられる。
なお、保持部５を形成する相互に重なり合わせられた保持部形成パネル２７，２７は、固定することが好ましい。保持部形成パネル２７，２７を固定する手段としては、例えば、有底筒体１を組み立てた後、重なり合う保持部形成パネル２７，２７を身近にある接着剤で接着し、或いは粘着テープを巻き付けて固定することができる。
【００７１】
このようにして組み立てられた第５例のロールペーパーディスペンサーによれば、ロールペーパー１００の下端１００ａ側を受ける受け面６を容易に形成することができる。
その他の作用効果は第１例と同様であり、第１例の作用効果を援用する。
【００７２】
なお、本例では有底筒状体は６角形となっているが、第１例と同様、角数にあっては特に限定されない。
【００７３】
図２０はロールペーパーディスペンサーの引出口の他例を示す平面図である。
第１例、第２例、第３例、第４例、第５例にあっては、引出口３はいずれも筒壁部２の上辺側が開放された切り欠き溝状となっているが、図２０に示すように、開放辺のない打ち抜き状に形成してもよい。引出口３が打ち抜き状に形成したものであると、引出口３にロールペーパー１００をカットする場合のペーパーカット負荷に耐える強度が向上する。
【００７４】
また、第３例、第４例、第５例にあっては、いずれも筒壁部形成パネル２２の上辺に蓋部横折線３０を介して連接した蓋部形成パネル３１を有しているが、他の実施の形態例として、図示しないが、第３例、第４例、第５例から、筒壁部形成パネル２２の上辺に蓋部形成パネル３１を除いた構成とした実施の形態例が挙げられる。
【００７５】
このように構成された他の実施の形態例のロールペーパーディスペンサーによれば、第２例と同様、蓋部形成パネル３１が無いので、その分取扱や組み立てが容易となり、更には紙基材の使用量が低減する。
その他の作用効果は第３例、第４例、第５例と同様である。
【符号の説明】
【００７６】
１  有底筒状体
２  筒壁部
３  引出口
３ａ  下辺
３ｂ  縦辺
４  底部
５  保持部
６  受け面
７  歯部
２０  ブランクシート
２１  筒壁部縦折線
２２  筒壁部形成パネル
２３  底部横折線
２４  底部形成パネル
２５  突き合わせ辺
２６  保持部横折線
２７  保持部形成パネル
２７ａ  広幅面部
２７ｂ  狭幅挿入面部
２８  切り欠き部
２９  糊代パネル
３０  蓋部横折線
３１  蓋部形成パネル
３２  固定部材
３３  挿入孔
３４  板状紙片
３５  蓋体
３６  固定パネル
３７  折線
３８  脚
３９  脚パネル
４０  板状紙片
４１  筒状柱
４２  立ち上げ部形成パネル
４３  立ち上げ部横折線
４４  底部横折線
１００  ロールペーパー
１００ａ  下端
１００ｂ  巻芯
【図１】
2019150219.tif 000003
【図２】
2019150219.tif 000004
【図３】
2019150219.tif 000005
【図４】
2019150219.tif 000006
【図５】
2019150219.tif 000007
【図６】
2019150219.tif 000008
【図７】
2019150219.tif 000009
【図８】
2019150219.tif 000010
【図９】
2019150219.tif 000011
【図１０】
2019150219.tif 000012
【図１１】
2019150219.tif 000013
【図１２】
2019150219.tif 000014
【図１３】
2019150219.tif 000015
【図１４】
2019150219.tif 000016
【図１５】
2019150219.tif 000017
【図１６】
2019150219.tif 000018
【図１７】
2019150219.tif 000019
【図１８】
2019150219.tif 000020
【図１９】
2019150219.tif 000021
【図２０】
2019150219.tif 000022